(57)【要約】【課題】各モジュールの電磁波によるノイズの影響をなくすとともに、各モジュールのがたつきを防止することのできる電子機器を提供すること。【解決手段】操作パネル面２１ａを有する複数のモジュール２０と、複数のモジュール２０を整列させて保持する本体１０とで構成されたミキサーＭのモジュール２０に、モジュール２０の表面を構成する操作パネル面２１ａを含む縦断面形状がコ字状のパネル部２１と、モジュール２０の裏面側を構成するフレーム部２２と、操作パネル面２１ａに設けられた複数の操作子２４とを設けた。そして、パネル部２１の側部２１ｂ，２１ｃには、隣接するモジュール２０におけるパネル部２１の側部２１ｂ，２１ｃに当接する複数の突起２５を設けた。【選択図】　図６
2004055865.tif 000002
【特許請求の範囲】
【請求項１】
操作パネル面を有する複数のモジュールと、前記複数のモジュールを整列させて保持する本体とで構成された電子機器において、
前記モジュールは、前記モジュールの表面を構成する操作パネル面を含む断面形状がコ字状のパネル部と、前記モジュールの裏面側を構成するフレーム部と、前記操作パネル面に設けられた複数の操作子とを備え、前記パネル部の側部には、隣接するモジュールにおけるパネル部の側部に当接する複数の突起が設けられていることを特徴とする電子機器。
【発明の詳細な説明】
【０００１】
【発明の属する技術分野】
本発明は、操作子を有する複数のモジュールと、この複数のモジュールを整列させて保持する本体とを備えた電子機器に関する。
【０００２】
【従来の技術】
従来から、例えば、オーディオ用のミキサーのように複数のモジュールを備えた電子機器がある。このような電子機器は、操作子が設けられた操作パネル面を有する複数のモジュールを、上面が開口した箱形の本体内に着脱可能に収容して構成されている。そして、このような電子機器では、各モジュールの本体に対する着脱をスムーズに行うために、隣り合う各モジュール間に僅かな隙間が形成されている。
【０００３】
【発明が解決しようとする課題】
しかしながら、従来の電子機器では、各モジュール間に隙間が形成されているため、各モジュールが孤立した状態になって充分なアースを取れないという問題がある。この結果、各モジュールに電荷が誘起されて、電磁波によるノイズを発生したり、外部からのノイズを受けやすくなったりする。このため、この電子機器や他の電子機器等に悪影響を及ぼすことがある。また、各モジュールにがたつきが生じるという問題もある。
【０００４】
【発明の概要】
本発明は、上記問題に対処するためになされたもので、その目的は、各モジュールの電磁波によるノイズの影響をなくすとともに、各モジュールのがたつきを防止することのできる電子機器を提供することである。
【０００５】
上記の目的を達成するため、本発明にかかる電子機器の構成上の特徴は、操作パネル面を有する複数のモジュールと、複数のモジュールを整列させて保持する本体とで構成された電子機器において、モジュールは、モジュールの表面を構成する操作パネル面を含む断面形状がコ字状のパネル部と、モジュールの裏面側を構成するフレーム部と、操作パネル面に設けられた複数の操作子とを備え、パネル部の側部には、隣接するモジュールにおけるパネル部の側部に当接する複数の突起が設けられていることにある。
【０００６】
前記のように構成した本発明の電子機器においては、電子機器の本体に整列して保持される複数のモジュールが、それぞれ隣接するモジュールと突起を介して接触する。したがって、各モジュールがアース接続された状態になって帯電することがなくなり、電磁波によるノイズの発生や外部からのノイズの影響を受けることがなくなる。また、隣接する各モジュールが複数の突起を介して当接した状態になるため、本体内でがたつくことが防止される。
【０００７】
また、本発明においては、複数の突起を、パネル部の両方の側部に設けることが好ましく、その両側部に設けられた突起の位置は、パネル部の正面方向から見た状態では、チドリ状にずらしていることが好ましい。また、隣接するモジュールの相対向する側部に設けられた複数の突起も対向する突起同士が互いに接触することのないように位置をチドリ状にずらしておくことが好ましい。
【０００８】
さらに、パネル部の側部における突起を設ける部分は、側部の面内に設けられた略Ｃ字状の切欠き溝によって一方側がパネル部の側部から自由端になった片持ち辺部とすることが好ましい。これによって、突起が片持ち辺部の弾性によって、隣接するモジュールのパネル部の側部に適正な状態で接触するようになる。この結果、突起が隣接する側部に確実に接触するようになるとともに、過大な押圧力で同側部を損傷させることがなくなる。
【０００９】
【発明の実施の形態】
以下、本発明の一実施形態を図面を用いて説明する。図１ないし図３は、本発明にかかる電子機器であるオーディオ用のミキサーＭを示しており、図１は上面、図２は裏面、図３は側面をそれぞれ表している。このミキサーＭは、上面が開口した箱形の本体１０に、複数のモジュール２０およびフェーダ３０を着脱可能に取り付けて構成されており、図４は、本体１０にフェーダ３０を取り付けた状態を示し、図５は、本体１０に、モジュール２０およびフェーダ３０を取り付けた状態を示している。
【００１０】
本体１０は、平面視方形状に形成され、前部（図１の下側部分）が浅く、後部が深くなった箱状に形成され、後部の上端が前部の上端よりも高くなっている。そして、後部側の深い部分に、複数のモジュール２０を横に並べて収容するためのモジュール収容部１０ａが形成され、前部側の浅い部分に、複数のフェーダ３０を横に並べて収容するためのフェーダ収容部１０ｂが形成されている。このモジュール収容部１０ａとフェーダ収容部１０ｂとは、図４および図５に示すように、仕切り板１１ａによって区切られている。そして、本体１０の前端部には前支持部１２が形成され、本体１０の後端部には後支持部１３が形成されている。また、後支持部１３の前端面は仕切り板１１ｂで構成されている。
【００１１】
後支持部１３の後面には、図２に示したリアパネル１４が形成され、このリアパネル１４に、それぞれ複数の入力端子１４ａ、出力端子１４ｂおよびファン１４ｃが取り付けられている。また、後支持部１３の前面上部には、傾斜パネル部１５が形成され、この傾斜パネル部１５に所定間隔を保って複数のレベルメータ１５ａが取り付けられている。このレベルメータ１５ａは、調整された音の大きさを視覚的に確認するためのものである。
【００１２】
そして、本体１０におけるモジュール収容部１０ａの底面には、接続端子１６ａ，１６ｂおよびモジュール２０を位置決めして支持するための棒状の支持部材１７ａ，１７ｂが取り付けられている。また、仕切り板１１ａの上部および傾斜パネル部１５の下端部と仕切り板１１ｂの上端部との間には、それぞれねじ穴を有する係合片１８ａ，１８ｂが設けられている。この係合片１８ａ，１８ｂは、床面１９ａまたは底板１９ｂと平行して、互いに内側に突出して設けられている。これによって、モジュール２０の前部と後部との高さが異なっていても、本体１０に対する取り付け誤差が少なくなる。
【００１３】
各モジュール２０には、オーディオ信号を入力する入力機能、入力されたオーディオ信号を加工する加工機能および加工されたオーディオ信号を出力する出力機能にうちのいずれかの機能が割当てられる。これらのモジュール２０は、幅方向の長さが小さく、前後方向の長さが大きくなるように設定されており、高さ方向の長さは、図４および図５に示すように、モジュール収容部１０ａの形状に揃えて、前部が低く、後部が高く設定されている。そして、これらの各モジュール２０は、長手方向の側面を互いに接触させて、本体１０のモジュール収容部１０ａに取り付けられる。
【００１４】
また、各モジュール２０は、上面部（図６では左側）を構成する金属製のパネル部２１と、下面（裏面）部を構成する金属製のフレーム部２２を備えている。そして、パネル部２１とフレーム部２２の間に、側面部２３等を介して、各種の基板や装置が取り付けられている。また、パネル部２１の上面には、操作パネル面２１ａが形成されて、その操作パネル面２１ａに複数の操作子２４が設けられている。
【００１５】
パネル部２１は、図６および図７に示すように、幅方向の縦断面形状が、コ字状に形成されており、その両側部２１ｂ，２１ｃに、それぞれ図８に示すように、所定間隔で複数の突起２５が設けられている。この突起２５は、側部２１ｂ，２１ｃの面内に設けられた切り欠き溝によって一方（上端縁部側）が側部２１ｂ，２１ｃに連結され、他方が自由端に形成された弾性を有する片持ち辺部２６の略中央に設けられ、外側に向って突出している。また、図８に示すように、隣接するモジュール２０の対向する側部２１ｂと側部２１ｃの突起２５は、接触しないように異なる位置に設けられている。また、パネル部２１の操作パネル面２１ａには、装飾用の塗装が施されているが、側部２１ｂ，２１ｃは地肌を露呈させた状態になっている。
【００１６】
フレーム部２２の下面には、図４および図５に示したように、本体１０の接続端子１６ａ，１６ｂと着脱可能に接続される接続端子２６ａ，２６ｂおよび本体１０の支持部材１７ａ，１７ｂと係合できる係合穴（図示せず）が設けられている。また、パネル部２１の前端部および後端部には、それぞれ本体１０の係合片１８ａ，１８ｂに設けられたねじ穴と係合できるねじ２７ａ，２７ｂが設けられている。
【００１７】
したがって、図４のように、モジュール２０を本体１０から取り外した状態から、モジュール２０をモジュール収容部１０ａ内に入れて、図５の状態にすると、接続端子１６ａ，１６ｂとそれぞれ対向する接続端子２６ａ，２６ｂが接続されるとともに、係合穴に支持部材１７ａ，１７ｂが進入する。そして、ねじ２７ａ，２７ｂを、係合片１８ａ，１８ｂのねじ穴に螺合させることにより、モジュール２０は、本体１０に取り付けられる。
【００１８】
各フェーダ３０には、入力される各オーディオ信号の音量を調整する機能、入力後、加工されたオーディオ信号の音量を調整する機能および加工されたオーディオ信号を調整したのち外部に出力するための音量を調整する機能のうちのいずれかの機能が割当てられている。そして、このフェーダ３０の上面には、操作子３１が前後に移動可能に設けられており、この操作子３１を移動させることにより、音量の調整ができる。また、各フェーダ３０は、整列した状態でフェーダ収容部１０ｂに取り付けられており、これらの各フェーダ３０も、ねじによって、本体１０に着脱可能になっている。
【００１９】
このように構成されたミキサーＭは、モジュール２０の各操作子２４やフェーダ３０の各操作子３１を操作することにより、各種楽器音、人の声などを電気信号に変換するマイク、電子楽器、電気楽器等の種々の音楽機器からオーディオ信号を入力して音量を調節したり、音質を変えたりする。そして、その信号を出力装置に出力する。
【００２０】
また、各モジュール２０は、着脱や交換が可能で、モジュール２０をモジュール収容部１０ａに取り付ける際には、図４の状態から、モジュール２０をモジュール収容部１０ａ内に入れて、図５の状態にする。この場合、モジュール２０をモジュール収容部１０ａの奥側に挿入するだけで、本体１０の接続端子１６ａ，１６ｂとそれぞれ対向するモジュール２０の接続端子２６ａ，２６ｂ、および本体１０の支持部材１７ａ，１７ｂとモジュール２０の係合穴とがそれぞれ係合する。
【００２１】
このような、モジュール２０のモジュール収容部１０ａへの挿入時には、支持部材１７ａ，１７ｂがガイドとして作用して、モジュール２０の両側が平行に移動するため、接続端子１６ａと接続端子２６ａとの接続状態および接続端子１６ｂと接続端子２６ｂとの接続状態が等しくなり、各接続端子２６ａ，２６ｂ，２６ａ，２６ｂにかかる圧力が略均等になる。これによって、接続端子１６ａと接続端子２６ａおよび接続端子１６ｂと接続端子２６ｂの良好な接続が可能になる。そして、ねじ２７ａ，２７ｂを、係合片１８ａ，１８ｂのねじ穴に係合させることにより、モジュール２０を、本体１０に取り付けることができる。
【００２２】
また、この場合、モジュール２０のパネル部２１における両側部２１ｂ，２１ｃに設けた突起２５が、隣接するモジュール２０の側部２１ｃまたは側部２１ｂに当接する。これによって、各モジュール２０の全てのパネル部２１がアース接続された状態になり、帯電防止や電磁波発生の防止ができる。この場合、両端側のモジュール２０の突起２５は、それぞれ本体１０の側面に接触し、ミキサーＭ全体がアース接続された状態になる。また、突起２５は間隔を保って複数個設けられているため、各モジュール２０同士が確実に接触する。これによって、より確実なアース接続ができるとともに、各モジュール２０間でのがたつきがなくなる。
【００２３】
さらに、突起２５は、片持ち辺部２６に設けられているため、モジュール２０間の隙間が僅かであれば、片持ち辺部２６の弾性によって、突起２５は片持ち辺部２６とともに、側部２１ｂ，２１ｃの内部側に入り込む。これによって、対向するモジュール２０の側部２１ｂ，２１ｃと接触状態を保つことができる。また、モジュール２０間の隙間が大きければ、突起２５は僅かに側部２１ｂ，２１ｃの内部側に入り込む。これによっても、対向するモジュール２０の側部２１ｂ，２１ｃと接触状態を保つことができる。このため、モジュール２０間の隙間の大小に限らず、良好な接触状態を保つことができる。また、突起２５と側部２１ｂ，２１ｃの接触によって、側部２１ｂ，２１ｃが傷つくこともない。
【００２４】
突起２５の取り付け方法の変形例として、側部２１ｂ，２１ｃの下端縁部から弾性片を延ばしこの弾性片の先端部に突起を設けてもよいし、側部２１ｂ，２１ｃの表面に直接突起を設けてもよい。また、電子機器をミキサーＭとしたが、本発明にかかる電子機器は、これに限らず、本体に対して、複数のモジュールを着脱可能に取り付けできる電子機器であれば利用可能である。
【図面の簡単な説明】
【図１】本発明にかかる電子機器の一実施形態によるミキサーを示す平面図である。
【図２】図１に示したミキサーの裏面図である。
【図３】図１に示したミキサーの側面図である。
【図４】ミキサーの本体からモジュールを取り外した状態を示す縦断面図である。
【図５】ミキサーの縦断面図である。
【図６】モジュールの要部を拡大した斜視図である。
【図７】パネル部の側部の接触状態を示す縦断面図である。
【図８】モジュールに設けた突起の配置を示す平面図である。
【符号の説明】
１０…本体、１０ａ…モジュール収容部、２０…モジュール、２１…パネル部、２１ａ…操作パネル面、２１ｂ，２１ｃ…側部、２２…フレーム部、２４…操作子、２５…突起。
【図１】
2004055865.tif 000003
【図２】
2004055865.tif 000004
【図３】
2004055865.tif 000005
【図４】
2004055865.tif 000006
【図５】
2004055865.tif 000007
【図６】
2004055865.tif 000008
【図７】
2004055865.tif 000009
【図８】
2004055865.tif 000010